(57)【要約】【課題】使用者の誤解をなくしながら最適な省エネ運転を実行できる貯湯式給湯機を提供すること。【解決手段】本発明の貯湯式給湯機は、貯湯タンク内の湯水を沸き上げる加熱手段と、貯湯タンク内の沸き上げ湯量を設定し表示部と操作部を有する設定手段とを備え、貯湯タンク内の沸き上げ湯量をを設定する沸き上げモードを複数備えるとともに、複数の沸き上げモードのうち少なくとも１つの沸き上げモードは、過去の使用量に基づいて沸き上げ湯量を決定する学習機能の有する沸き上げモードである貯湯式給湯機において、貯湯式給湯機の初期設定として学習機能の有する沸き上げモードが設定されているとともに、貯湯式給湯機の設置後、学習機能によって沸き上げ湯量が決定されるまでに、設定手段にて沸き上げ湯量を変更しようとすると、表示部に沸き上げモードを変更しないように促すメッセージを表示する。【選択図】図３
2011117682.tif 000002
【特許請求の範囲】
【請求項１】
湯水を貯える貯湯タンクと、前記貯湯タンク内の湯水を沸き上げる加熱手段と、前記貯湯タンク内の沸き上げ湯量を設定し表示部と操作部を有する設定手段とを備え、前記貯湯タンク内の沸き上げ湯量をを設定する沸き上げモードを複数備えるとともに、前記複数の沸き上げモードのうち少なくとも１つの沸き上げモードは、過去の使用量に基づいて沸き上げ湯量を決定する学習機能の有する沸き上げモードである貯湯式給湯機において、貯湯式給湯機の初期設定として前記学習機能の有する沸き上げモードが設定されているとともに、貯湯式給湯機の設置後、前記学習機能によって沸き上げ湯量が決定されるまでに、前記設定手段にて沸き上げ湯量を変更しようとすると、前記表示部に沸き上げモードを変更しないように促すメッセージを表示することを特徴とする貯湯式給湯機。
【請求項２】
表示部に沸き上げモードを変更しないように促すメッセージを表示する際には、学習データに基づいた沸き上げレベルの変更が実施されるまでの日数を併せて表示することを特徴とする請求項１に記載の貯湯式給湯機。
【請求項３】
学習データに基づいた沸き上げレベルの変更が実施されるまでに沸き上げモードを変更するときは、通常時に沸き上げモードを設定する以外の方法で設定することを特徴とする請求項１または２に記載の貯湯式給湯機。
【発明の詳細な説明】
【技術分野】
【０００１】
本発明は、貯湯式給湯機の沸き上げモード変更に関するものである。
【背景技術】
【０００２】
従来の貯湯タンクを有する貯湯式給湯機には、使用者の実際の湯の使用量を学習して、湯の使用量より自動的に貯湯タンク内に沸き上げる湯量を変更する学習機能を有したものがある（例えば、特許文献１参照）。
【０００３】
例えば、特許文献１の貯湯式給湯装置の場合、湯切れを起こすことなく効率的な運転が行なえるように、所定日数の間の使用者の実際の湯の使用量を学習して、貯湯タンク内に貯める湯量を変更していくものである。また、貯湯タンク内の湯水を沸き上げる沸き上げモードとして、多めモードや少なめモードなど複数有しており、使用者が設定した沸き上げモードに応じて、貯湯タンク内に貯める湯量を変更している。そのため、使用者自身が自分の生活スタイルに合わせた湯の沸き上げモードを設定することができる。
【０００４】
そして、使用者が貯湯式給湯機を使用した際に、省エネ運転となるように、沸き上げモードの初期設定は学習機能を有するモードとしている。そのため、貯湯式給湯機設置後は学習機能を有するモードで沸き上げ運転が開始される。
【先行技術文献】
【特許文献】
【０００５】
【特許文献１】特開２００７−１３９３３９号公報
【発明の概要】
【発明が解決しようとする課題】
【０００６】
しかしながら、貯湯式給湯機を使用開始後、数日間は使用者が使用した湯水の使用量を学習した学習データがないため、使用者がどのような使い方をしてもできるだけ湯切れが発生しないように、初期の沸き上げ湯量は多めとなるような沸き上げレベルが設定されている。
【０００７】
通常、このような従来の学習機能を有する沸き上げモードで運転を開始した場合、何日間かの実際の使用実態（湯水の使用量）に基づいて沸き上げ湯量を変更するので、実際に学習機能が有効に働いた省エネ運転になるまでには、使用実態のデータを蓄積するために所定の日数が掛かってしまう。
【０００８】
そのため、沸き上げ運転モードを学習機能の有するモードとしていても、学習データに基づいた沸き上げ湯量となるまでには数日間かかってしまうので、使用者の生活スタイルによっては、湯が大量に余ってしまうことになる（例えば、湯の使用量が少ない人など）。その結果、学習機能が有効に働くまでに使用者が沸き上げ湯量が少ないモードに手動で変更してしまい、結果として、使用者が学習機能の有するモードで使用することなく、省エネ運転を行うことができないという課題を有していた。
【０００９】
本発明は、前記従来の課題を解決するもので、使用者の誤解をなくしながら最適な省エネ運転を実行できる貯湯式給湯機を提供することを目的とする。
【課題を解決するための手段】
【００１０】
前記従来の課題を解決するために、本発明の貯湯式給湯機は、湯水を貯える貯湯タンク
と、貯湯タンク内の湯水を沸き上げる加熱手段と、貯湯タンク内の沸き上げ湯量を設定し表示部と操作部を有する設定手段とを備え、貯湯タンク内の沸き上げ湯量をを設定する沸き上げモードを複数備えるとともに、複数の沸き上げモードのうち少なくとも１つの沸き上げモードは、過去の使用量に基づいて沸き上げ湯量を決定する学習機能の有する沸き上げモードである貯湯式給湯機において、貯湯式給湯機の初期設定として学習機能の有する沸き上げモードが設定されているとともに、貯湯式給湯機の設置後、学習機能によって沸き上げ湯量が決定されるまでに、設定手段にて沸き上げ湯量を変更しようとすると、表示部に沸き上げモードを変更しないように促すメッセージを表示することにより、使用者が学習機能による沸き上げ湯量確定までに、沸き上げモードを変更しないように意識を促し、確実に使用者が省エネ運転を実施することができる。
【発明の効果】
【００１１】
本発明は、使用者の誤解をなくしながら最適な省エネ運転を実行できる貯湯式給湯機を提供することができる。
【図面の簡単な説明】
【００１２】
【図１】本発明の実施の形態１における貯湯式給湯機の構成図
【図２】同形態における沸き上げモード変更時の画面遷移図
【図３】同形態における沸き上げモード変更時の画面遷移図
【図４】同形態における沸き上げモード変更時の画面遷移図
【図５】本発明の実施の形態２における沸き上げモード変更時の画面遷移図
【発明を実施するための形態】
【００１３】
第１の発明の貯湯式給湯機は、湯水を貯える貯湯タンクと、貯湯タンク内の湯水を沸き上げる加熱手段と、貯湯タンク内の沸き上げ湯量を設定し表示部と操作部を有する設定手段とを備え、貯湯タンク内の沸き上げ湯量をを設定する沸き上げモードを複数備えるとともに、複数の沸き上げモードのうち少なくとも１つの沸き上げモードは、過去の使用量に基づいて沸き上げ湯量を決定する学習機能の有する沸き上げモードである貯湯式給湯機において、貯湯式給湯機の初期設定として学習機能の有する沸き上げモードが設定されているとともに、貯湯式給湯機の設置後、学習機能によって沸き上げ湯量が決定されるまでに、設定手段にて沸き上げ湯量を変更しようとすると、表示部に沸き上げモードを変更しないように促すメッセージを表示することにより、使用者が学習機能による沸き上げ湯量確定までに、沸き上げモードを変更しないように意識を促し、確実に使用者が省エネ運転を実施することができる。
【００１４】
第２の発明の貯湯式給湯機は、特に第１の発明において、表示部に沸き上げモードを変更しないように促すメッセージを表示する際には、学習データに基づいた沸き上げレベルの変更が実施されるまでの日数を併せて表示することにより、使用者が、あとどれくらいで学習データに基づいた沸き上げレベルの変更がされるのかを知ることになり、さらに不安を解消することができる。
【００１５】
第３の発明の貯湯式給湯機は、特に第１または第２の発明において、学習データに基づいた沸き上げレベルの変更が実施されるまでに沸き上げモードを変更するときは、通常時に沸き上げモードを設定する以外の方法で設定することにより、学習データに基づいた沸き上げレベルの変更までは、半強制的に沸き上げモードの変更を制限して省エネ運転ができるようにし、それでも沸き上げモードを変更したい場合には、通常の沸き上げモードの変更の操作方法とは異なる方法で沸き上げレベルを変更できるようにし、使用者の生活スタイルに合わせて沸き上げモードを変更可能にして使用性を向上させることができる。
【００１６】
以下、本発明の実施の形態について、図面を参照しながら説明する。なお、この実施の
形態によって本発明が限定されるものではない。
【００１７】
（実施の形態１）
図１は、本実施の形態におけるヒートポンプ式給湯機の構成図である。まず図１を用いて、実施の形態１における貯湯式給湯機の構成図を説明する。
【００１８】
実施の形態１における貯湯式給湯機は、タンクユニット１とヒートポンプユニット３で構成されている。そして、タンクユニット１内に設けた貯湯タンク２には、加熱手段であるヒートポンプユニット３で加熱された湯が貯えられる。なお、本実施の形態では、貯湯タンク２の湯の加熱をヒートポンプとしているが、本実施の形態に限定されることなく、電気ヒーター等その他の加熱手段でもよい。
【００１９】
また、貯湯タンク２の底部とヒートポンプユニット３の入口は沸き上げポンプ８を介し熱源機往き管１６で接続されており、ヒートポンプユニット３の出口と貯湯タンク２の上部は熱源機戻り管１７で接続されている。また、貯湯タンク２の底部には減圧弁１１を介し入水管１２が接続されている。そして貯湯タンク２の上部と混合弁７の湯入口は給湯管１４で接続されており、入水管１２から分岐された給水管１３は混合弁７の水入口に接続されている。混合弁７の出口は出湯管１５で給湯用水栓やシャワーと接続されている。また、出湯管１５には給湯サーミスタ６と流量センサ５が取り付けられている。
【００２０】
また、貯湯タンク２の表面にはタンク上部より残湯サーミスタ４ａ、４ｂ、４ｃ、４ｄ、４ｅ、４ｆが所定の位置に貼り付けられている。残湯サーミスタ４ａから４ｆ、流量センサ５、給湯サーミスタ６、沸き上げポンプ８、ヒートポンプユニット３は制御装置１８と電気配線で接続されている。
【００２１】
また、各種設定を行う操作部と、貯湯式給湯機の運転状態を表示する表示部とを有した設定手段であるリモコン１９が有線で接続されている。無論、リモコン１９は無線で貯湯式給湯機と接続されていても問題はない。
【００２２】
以下、設定手段であるリモコン１９について図２を用いて説明する。リモコン１９には貯湯式給湯機の運転状態を表示する表示部３０と、貯湯式給湯機の設定や運転を行うために操作部３１（本実施の形態では複数のスイッチで構成される）がある。
【００２３】
そして表示部３０には、給湯設定温度表示３９や貯湯タンク２の中に使える湯がどの程度あるかを表す貯湯タンク残湯量表示４０、沸き上げモードの設定内容４１、時計４２等の情報が表示される他、異常発生時には異常コードやお知らせのような表示を必要に応じて表示させることができる。
【００２４】
また、残湯量表示４０は残湯サーミスタ４ａから４ｆの検出温度を元に所定温度（例えば４５℃）以上の湯がどの程度まであるかによって表示を行う。実際の貯湯タンク２内では給湯を使用するほどタンク底部から水になっていくが、使用者の視覚的な分かり易さに配慮し、残湯量表示４０ではタンクの上部から湯が減っていくイメージで表示を行っている。
【００２５】
なお、表示部３０に表示される内容は、上記内容に限定されることはなく、湯張り機能が付いた貯湯式給湯機であれば風呂関連の表示や、暖房機能が付いた貯湯式給湯機であれば暖房関連の表示など、貯湯式給湯機の構成に応じて変更できることは言うまでもない。また、本実施の形態では、タンクユニット１とヒートポンプユニット３とを別体に設けて説明したが、これに限定されることはなく、タンクユニット１とヒートポンプユニット３とを一体的に構成した貯湯式給湯機であってもよい。
【００２６】
以上のように構成された貯湯式給湯機について、本発明の特徴部分である沸き上げモードの変更について説明する。
【００２７】
通常、貯湯タンクを有する貯湯式給湯機の場合、電気料金の安い時間帯に貯湯タンク内の湯水を沸き上げておいて、昼間、貯湯タンク内の温水を給湯に使用する。現在のところ、日本の電力会社が電気料金を安く設定しているのは、深夜時間帯（通常２３時から翌朝７時など）であることが多く、ほとんどの貯湯式給湯機においては、深夜時間帯を中心に沸き上げ運転が行われる。また、電気料金の設定は、設置地域毎に電力会社が異なるため、設置する地域の電力会社に応じた沸き上げ運転が行われるように、貯湯式給湯機を設置する時に対応する電力会社を設定することができる。もちろん、昼間に湯切れが発生した場合には、昼間時間帯に沸き上げ可能に構成されていることは言うまでもない。
【００２８】
そして沸き上げ運転時には、複数設けている沸き上げモードに応じて決定される沸き上げ温度に沸き上げられる。沸き上げ運転時には、沸き上げポンプ８を運転することで貯湯タンク２の底部の湯水をヒートポンプユニット３に送り、高温湯を生成後、貯湯タンク２の上部に戻している。これにより、貯湯タンク２内の湯水は、上部より設定された沸き上げ温度の湯水が貯えられていくことになる。
【００２９】
また、貯湯タンク２には、入水管１３より減圧弁１１にて一定の圧力に減じられた水が常に給水されるため通常は満水状態になっている。給湯用水栓が開かれると給水によって貯湯タンク２上部の湯が押し出され給湯管１４を通って混合弁７の湯入口に流入してくる。また、混合弁７の水入口には給水管１３を通って水が流入してくる。そして、制御装置１８が給湯サーミスタ６の検出温度がリモコン１９で設定された給湯温度になるように混合弁７を駆動することで出湯管１５を通って給湯用水栓からは設定温度の湯が出てくる。給湯を使用すると貯湯タンク２内の湯は下部より水に置き換わっていくことになる。
【００３０】
使用者が使用した湯水の量は、給湯サーミスタ６で計測される給湯温度と、流量センサ５で計測される流量とで演算され、制御装置１８に記憶される。制御装置１８ではこれらのデータを１時間毎、および１日毎に積算していき、１日の給湯の使用パターンと１日に使用される給湯の熱量として記憶する。そして、使用量データを直近１週間分蓄積し、過去の使用量データをもとに、貯湯式給湯機の平均の湯使用量、最大と最小の湯使用量、１日の中での使用量がピークとなる時間帯と使用量など、沸き上げ量を決定するのに必要なデータを学習する。
【００３１】
本実施の形態では、沸き上げモードとしては「おまかせ」「たっぷり」「深夜のみ」の３種類が選択できるようになっており、リモコン１９を操作することで変更できる。なお、初期設定では「おまかせ」となっており、「おまかせ」モードは学習機能を有する沸き上げモードとなっている。以下、それぞれの沸き上げモードについて説明する。なお、本実施の形態では、貯湯式給湯機の沸き上げモードとして「おまかせ」「たっぷり」「深夜のみ」の３種類を設けたが、これに限定されることはなく、さらに複数に沸き上げモードを備えていても問題はなく、複数の沸き上げモードのうち少なくとも１つの沸き上げモードで学習機能を有していればよい。
【００３２】
まず、「おまかせ」モードでは使用者の使用状況に合わせ、最も効率的でかつ湯切れも起こりにくいよう沸き上げレベルを学習データによって変更していく。同じ沸き上げモードの中でも、沸き上げレベルが８段階あり、沸き上げレベルが高いほど深夜に沸き上げる温度を高く、かつ、湯量を多く設定されており、沸き上げレベルが低いほど沸き上げる温度を低く、かつ、湯量を少なめに設定して、各家庭の給湯使用量に応じた沸き上げ運転に柔軟に対応できるようにしている。
【００３３】
「おまかせ」モード内の沸き上げレベルの決定は、１日に使用する平均的な給湯熱量にいくらかの余裕を加えた量を深夜に沸き上げるよう選択される。その上で１日の使用量のピーク時間に合わせ必要量が不足していると判断した場合は、昼間にも沸き上げを行い使用量の変化にも対応するようにしている。
【００３４】
次に、「たっぷり」モードでは、使用者の使用状況に関係なく深夜に最大の沸き上げ温度で全量を沸き上げる。また、昼間湯を使用した場合には、昼間の沸き上げ運転を制限することなく、随時追加の沸き上げ運転を行い、常時貯湯タンク内に湯を貯めるように動作する。「おまかせ」モードに比べて運転効率は悪くなるが、家族人数が多い場合や湯の使用量が非常に多い場合方にとっては使い勝手のよい沸き上げモードである。
【００３５】
次に、「深夜のみ」モードでは、深夜時間帯にのみ、所定の沸き上げ温度で全量を沸き上げ、昼間については一切追加の沸き上げ運転を行わないモードである。つまり、昼間に湯切れがした場合には自動で追加の沸き上げ運転をせずに、使用者が自ら手動で沸き上げ運転を行う必要がある。毎日、ある程度の決まった量を比較的早い時間帯に使用する場合には、最も経済的なモードであるが、昼間の沸き上げ運転を手動で開始しなければならないため、使用中に湯切れしてしまう可能性がある。
【００３６】
以上のような貯湯式給湯機において、近年は環境問題が深刻化してきており家庭用給湯エネルギーについても削減の必要性が高まっている。特にヒートポンプ給湯機のように省エネルギータイプの機器として、購入に際し補助金が交付されているものにおいては、経済性だけでなく、高効率な運転を行うことが求められている。そのため、高い経済性を実現するだけでなく、高い効率で沸き上げ運転が可能な貯湯式給湯機を実現しなければならない。
【００３７】
貯湯タンク内の湯を高い温度で全量沸き上げれば多くの給湯を使用することができるが、貯湯タンクからの放熱ロスは多くなってしまうため効率は低下する。一般的に１日の給湯使用は夕方から夜の間がピークになるため、効率面からは深夜の沸き上げ温度は低めとし沸き上げ量も少なめとした方がよく、できるだけ使用する時間の近くで沸き上げる方が有利となる。しかしながら、電力料金は深夜時間帯がかなり安く設定されているため、昼間に沸き上げる量が多くなると経済的ではなくなる。また、同じ家庭でも季節の変化などで給湯使用量はかなり変化するため、深夜に沸き上げる湯量は季節とともに変化させる必要もある。
【００３８】
このように貯湯タンクを有するう貯湯式給湯機を経済的かつ効率的に運転することは、使用者自身が逐一手動で操作して実現するのは難しい。そのため本実施の形態では、「おまかせ」モードでは過去１週間の給湯使用量を学習し、深夜にはそれらの平均よりも少し多めの給湯量がまかなえる程度に沸き上げを行い、不足が予想される場合には給湯使用が多くなる夕方に不足分を追加で沸き上げることで、最も効率的でかつ経済的な運転を自動で行うようにしている。また、給湯使用量を継続的に学習していくことで季節変動に応じて沸き上げレベルも自動で変化させ、１年間を通して効率的で経済的な運転ができるようにしている。
【００３９】
ところが、設置後すぐの使用時には学習のデータがないため、「おまかせ」モードでもどの沸き上げレベルを選択すべきか分からない。湯切れしてしまうと短時間での沸き上げはできず、非常に不便になってしまうため、設置後の学習が一旦終了して沸き上げレベルが選択されるまでの間は沸き上げレベルは高めにせざるを得ない。
【００４０】
結果として使用者の給湯使用量が少なめな場合には、その日の給湯使用が終了しても貯
湯タンク内にはまだ湯が多く残ってしまうことになる。また、いくら沸き上げレベルを高めからスタートしても設置後の一時的な給湯の多量使用により湯切れを起こしたり、昼間の沸き上げが多くなったりしてしまうことがある。
【００４１】
特に、貯湯式給湯機の設置後すぐは、使用者の省エネ運転に対する注目度も高いため、このようなことが発生すると、現在の沸き上げモードが合っていないのではないかという誤解を生み、他のモードに変更されてしまうケースが多くある。この場合、使用者が貯湯式給湯機の使用を続けても、学習機能が有効に働かず、最適な沸き上げレベルにはならず、使い勝手も悪く省エネルギーの観点からも望ましくない。
【００４２】
このような状況を回避するため、本実施の形態では設置後の学習が終了していない期間中に沸き上げモードを変更しようとした場合、リモコン１９の表示部３０に沸き上げモードを変更しないように促すメッセージを表示させている。
【００４３】
図３は、沸き上げモードを変更しようとした際の表示部３０の表示内容を示した図である。本実施の形態では、貯湯式給湯機の設置後は、学習機能を有している「おまかせ」モードに設定されている。そして、学習機能に応じて沸き上げレベルを確定する前に、沸き上げモードを変更しようとすると、沸き上げモードを変更しないように促すメッセージを表示させている。
【００４４】
まず、ＳＴＥＰ１は、通常の沸き上げモード変更をするための操作を行うと、表示される画面である。通常時のＳＴＥＰ１において「１日に沸かす湯量」という項目を選択することによって、次の画面で「おまかせ」「たっぷり」「深夜のみ」の３つの項目を選択できる。しかしながら、貯湯式給湯機の設置後、学習機能による沸き上げレベルを確定するまでの所定の期間は、沸き上げモードを変更しないように使用者へ促すメッセージを表示している。具体的には、ＳＴＥＰ１において沸き上げモードを変更しようとすると、ＳＴＥＰ２に示す画面へ遷移する。
【００４５】
そしてＳＴＥＰ２では、「初期学習中のため沸き上げ設定の変更を行なわないでください。」との表示を行い、沸き上げモードを変更しないように使用者へ促す。ＳＴＥＰ２の画面のまま所定時間（例えば、１０秒）が経過すると、ＳＴＥＰ３に示す画面へ遷移する。
【００４６】
ＳＴＥＰ３では、初期学習中であっても沸き上げモードを変更したい使用者のために、変更を許可するメッセージを表示し、例えば「変更を行う場合は確定スイッチを押してください。」との表示を行う。このように原則として沸き上げモードを変更させないようにすることで、使用者の最適な沸き上げ運転を実現させるとともに、使用者の生活スタイルに合わせた沸き上げモードを変更可能にしておくことで、使用性も向上させることができる。
【００４７】
そして、ＳＴＥＰ３の画面で何も操作しなければ、ＳＴＥＰ４に示す画面へ遷移し、通常の表示画面へと戻る。しかしながら、ＳＴＥＰ３において沸き上げモードの変更を選択した場合には、ＳＴＥＰ５に示す画面へと遷移する。そして、ＳＴＥＰ５では「おまかせ」「たっぷり」「深夜のみ」の沸き上げモードを変更することができる。無論、前述の３つ以外の沸き上げモードを用意したときには、その沸き上げモードもＳＴＥＰ５にて選択できることはいうまでもない。
【００４８】
図４は、一度、学習機能による沸き上げレベルが変更された後の、沸き上げモード変更のための表示内容を示した図である。所定期間の間「おまかせ」モードにて運転を継続すると、過去の給湯使用量を学習し、最適な沸き上げレベルを設定する。そのため、所定期
間を経過した後においては、沸き上げモードを変更しないように促すようなメッセージの表示はしないようにしている。
【００４９】
つまり、図４のＳＴＥＰ１にて「１日に沸かす湯量」を選択することによって、ＳＴＥＰ２に示す沸き上げモードを変更する画面へ遷移する。そして、ＳＴＥＰ２において「おまかせ」「たっぷり」「深夜のみ」の沸き上げモードを変更することができる。このように、一旦学習機能によって沸き上げレベルが決定された後は、使用者の自由に設定できるようにして、使用性を向上させている。
【００５０】
以上のように、学習機能による沸き上げレベル変更までの所定期間が経過するまでは、通常の沸き上げモードを変更する操作とは異なり、沸き上げモードを変更しないように促すメッセージを表示させた後に、再度、沸き上げモードを変更するかどうかを確認するステップを設けて、沸き上げモードを変更することができ、学習機能による沸き上げレベル変更までの所定期間が経過後においては、通常の沸き上げモードを変更する操作となり、メッセージを表示させることなく、沸き上げモードを変更することができる。
【００５１】
また、学習機能による沸き上げレベル変更までの所定期間が経過するまでは、沸き上げモードの変更を制限するが、所定期間が経過するまでであっても、使用者の生活スタイルは多種多様であるので、それに対応できるように、通常の沸き上げモード変更の手順とは異なるが、沸き上げモードを変更できるようにしておくことで、使用者の使用性を向上させることができる。
【００５２】
（実施の形態２）
実施の形態２の貯湯式給湯機が、実施の形態１と異なる箇所は、「沸き上げモードを変更しないように促すメッセージ」の内容である。その他の構成については、実施の形態１と同じであるため、同じ符号を付して説明を省略する。
【００５３】
図５は、実施の形態２における沸き上げモード変更時の表示部３０の表示内容を示した図である。実施の形態１と同様に、貯湯式給湯機の設置後は、学習機能を有している「おまかせ」モードに設定されている。そして、学習機能に応じて沸き上げレベルを確定する前に、沸き上げモードを変更しようとすると、沸き上げモードを変更しないように促すメッセージを表示させている。
【００５４】
実施の形態２では、上述したように沸き上げモードを変更しないように使用者へ促すメッセージの内容が異なる。具体的には、図５のＳＴＥＰ２で示すように、学習機能による沸き上げレベルが設定されるまでの日数を併せて表示している。つまり、図５に示す例では、「初期学習中のため、あと３日間は沸き上げ設定の変更を行なわないでください。」との表示を行い、使用者に対して、あとどれくらいで学習機能による沸き上げレベルの設定が行われるかを示す。
【００５５】
このような表示にすることによって、使用者がどれくらい待てば最適な沸き上げレベルに設定されるかを知ることができ、より使用者を安心することができる。また、提示された使用者は、その日数だけ待った後に、再度、沸き上げ湯量の変更を判断する機会が明確になるため、より使用性も向上させることができる。
【産業上の利用可能性】
【００５６】
本発明に係る貯湯式給湯機は、ヒートポンプサイクルと給湯サイクルが一体に構成された一体型ヒートポンプ式給湯機、別体に構成された分離型ヒートポンプ式給湯機、給湯用熱交換器で加熱したお湯をそのまま出湯できる直接出湯型ヒートポンプ式給湯機などの各種ヒートポンプ給湯機に適用できる。
【符号の説明】
【００５７】
１  タンクユニット
２  貯湯タンク
３  ヒートポンプユニット
４ａ〜４ｆ  残湯サーミスタ（貯湯温度検出手段）
５  流量センサ
６  給湯サーミスタ
８  沸き上げポンプ
１８  制御装置（制御手段）
１９  リモコン（設定手段）
３０  表示部
３１  操作部
【図１】
2011117682.tif 000003
【図２】
2011117682.tif 000004
【図３】
2011117682.tif 000005
【図４】
2011117682.tif 000006
【図５】
2011117682.tif 000007